(57)【要約】【課題】アスパラガスの収穫効率の向上とおよび確実な刈取りの実現。【解決手段】電動回転する回転カッタ２３を備えた刈取り部２が操作部６の操作によりアスパラガスＢを刈取り、刈取り部２の刈取り動作に連動する送り部５が、刈取り部２の刈取り動作時においてアスパラガスＢを抑えるとともに、刈取りされたアスパラガスＢを複数のアスパラガスが収納保持される収納筒部３に送り込み、収納筒部３に収納された複数のアスパラガスＢを、収納筒部３の下端に備えられた開閉蓋４を開閉操作部７の開蓋操作により開いて収納筒部３から取り出す。【選択図】図３
2004147558.tif 000002
【特許請求の範囲】
【請求項１】
電動回転する回転カッタを備えた刈取り部が操作部の操作によりアスパラガスを刈取り、
刈取り部の刈取り動作に連動する送り部が、刈取り部の刈取り動作時においてアスパラガスを抑えるとともに、刈取りされたアスパラガスを複数のアスパラガスが収納保持される収納筒部に送り込み、
収納筒部に収納された複数のアスパラガスを、収納筒部の下端に備えられた開閉蓋を開閉操作部の開蓋操作により開いて収納筒部から取り出すようにしてなることを特徴とするアスパラガス収穫機。
【請求項２】
支持杆と、アスパラガスを刈取る刈取り部と、刈取られたアスパラガスを複数収納保持する収納筒部と、収納筒部の下端部を開閉する開閉蓋と、刈取り部の刈取り動作に連動してアスパラガスを収納筒部に送り込む送り部と、前記刈取り部の操作を行う操作部と、前記開閉蓋の開閉操作を行う開閉操作部とを備えてなり、
刈取り部は、電動モータと、モータ軸と、モータ軸の先端に取り付けられた回転カッタとを備えて、前記操作部の操作によって前後揺動可能に軸支するとともに、操作前において回転カッタが常にアスパラガスから離間した位置に保持されるように付勢して装着されて前方揺動時にアスパラガスを刈取り、
収納筒部は、前記刈取り部の揺動方向に正対するその周面にアスパラガスを収納筒部内に挿通するための挿通空間が形成され、
送り部は、刈取り部と収納筒部との間に前記モータ軸と正対して前後揺動可能、かつ常時モータ軸と近接する方向に付勢して装備されて、刈取り部の前方揺動時にモータ軸の接触によって前方揺動して、アスパラガスを抑えるとともに、刈取られたアスパラガスを挿通空間から収納筒部内へ送り込み、
収納筒部に収納された複数のアスパラガスを、収納筒部の下端に備えられた開閉蓋を開閉操作部の開蓋操作により開いて収納筒部から取り出すようにしてなることを特徴とするアスパラガス収穫機。
【請求項３】
前記収納筒部は透明であることを特徴とする請求項１または請求項２に記載のアスパラガス収穫機。
【発明の詳細な説明】
【０００１】
【発明の属する技術分野】
本発明は、アスパラガスの収穫作業における作業者への負担を軽減するアスパラガス収穫機に関する。
【０００２】
【従来技術】
本発明のアスパラガスの収穫作業における作業者への負担を軽減するためのアスパラガス収穫機に関連する先行技術文献情報としては、例えば下記のものがある。
【０００３】
【特許文献１】
特開２００１−５４３１０号（〔００１０〕および〔００１１〕図１ないし図３）
【特許文献２】
実開平５−２９３３２号（〔０００４〕、図３）
【０００４】
【発明が解決しようとする課題】
例示した特許文献１および特許文献２の構成により、腰をかがめながらはさみや鎌を使用してアスパラガスを一本々刈取るような作業を行うことなく、楽な姿勢で刈取り作業が可能となった。
【０００５】
しかしながら、特許文献１のものは、刈取られるアスパラガスの収納は一本ずつであり、一本毎に作物収納部に収納したアスパラガスを集積部へ移動させる作業を要しており、しかも、アスパラガスを刈取るカッタと、刈取られたアスパラガスを収納する作物収納部を塞ぐシャッタ部材が一体であるため、刈取り操作状態を保持した状態で集積部へ移動させ、集積部において刈取り操作状態を解除するので、収穫の作業性に関して非効率的なものである。
また、アスパラガスの刈取り時において、アスパラガスを抑える構成が無いため、カッタの刈取り動作時に生じるアスパラガスへの接触圧力によって、アスパラガスが切断される前に曲がってしまい、正確な刈取りができない可能性が有る。
そして、特許文献２のものにおいては、アスパラガスを刈り取る機能のみであって、刈り取ったアスパラガスは、一本々拾う作業を要しているため、このものについても収穫の作業性に関して非効率的なものである。
【０００６】
そこで、本発明は、アスパラガスの収穫効率の向上とおよび確実な刈取りの実現を課題とし、この課題を解決したアスパラガス収穫機の提供を目的とする。
【０００７】
【課題を解決するための手段】
上記した目的を達成するために本発明は下記の技術的手段を採用した。
その技術的手段は、電動回転する回転カッタを備えた刈取り部が操作部の操作によりアスパラガスを刈取り、刈取り部の刈取り動作に連動する送り部が、刈取り部の刈取り動作時においてアスパラガスを抑えるとともに、刈取りされたアスパラガスを複数のアスパラガスが収納保持される収納筒部に送り込み、収納筒部に収納された複数のアスパラガスを、収納筒部の下端に備えられた開閉蓋を開閉操作部の開蓋操作により開いて収納筒部から取り出すようにしてなることを特徴とするアスパラガス収穫機にしたことである。（請求項１）
【０００８】
【発明の実施の形態】
具体的な構成として、支持杆と、アスパラガスを刈取る刈取り部と、刈取られたアスパラガスを複数収納保持する収納筒部と、収納筒部の下端部を開閉する開閉蓋と、刈取り部の刈取り動作に連動してアスパラガスを収納筒部に送り込む送り部と、前記刈取り部の操作を行う操作部と、前記開閉蓋の開閉操作を行う開閉操作部とを備えてなる。
刈取り部は、電動モータと、モータ軸と、モータ軸の先端に取り付けられた回転カッタとを備えて、前記操作部の操作によって前後揺動可能に軸支するとともに、操作前において回転カッタが常にアスパラガスから離間した位置に保持されるように付勢して装着されて前方揺動時にアスパラガスを刈取る。
収納筒部は、前記刈取り部の揺動方向に正対するその周面にアスパラガスを収納筒部内に挿通するための挿通空間が形成されている。
送り部は、刈取り部と収納筒部との間に前記モータ軸と正対して前後揺動可能、かつ常時モータ軸と近接する方向に付勢して装備されて、刈取り部の前方揺動時にモータ軸の接触によって前方揺動して、アスパラガスを抑えるとともに、刈取られたアスパラガスを挿通空間から収納筒部内へ送り込む。
収納筒部に収納された複数のアスパラガスを、収納筒部の下端に備えられた開閉蓋を開閉操作部の開蓋操作により開いて収納筒部から取り出すようにしている。
このような構成とすることを特徴とするアスパラガス収穫機にしたことである。（請求項２）
【０００９】
ここでいう前方揺動とは、アスパラガスを収納筒部に送り込む方向への揺動をである。
前記収納筒部は透明である（請求項３）ことが好ましく、収納筒部が透明であることによって、アスパラガスの収納本数や収納状況を視認しながら収穫作業を行うことができる。
【００１０】
本発明によれば、刈取り部と収納筒部を開閉する開閉蓋がそれぞれ別体により備えられ、しかも、それぞれ異なる操作によって作動する。
そして、アスパラガスを電動回転する回転カッタにより刈取り、しかも、刈取り状態では送り部により抑える構造であるので、アスパラガスに悪影響を与えることなく確実に刈取ることができる。
また、送り部が刈取り部の刈取り動作に連動して、刈取り終了と同時に収納筒部に送り込む。
収納筒部は複数のアスパラガスを収納でき、刈取り作業中においては、開閉蓋が閉じられているため、刈取り作業を連続して行うことができる。
そして、収納筒部にアスパラガスが複数貯まった状態で開閉操作部の操作により開閉蓋を開いて、収納筒部内の複数のアスパラガスをまとめて取り出す。
さらに、請求項３の発明によれば、アスパラガスの収納本数や収納状況を視認しながら収穫作業を行うことができるため、過剰収納によるアスパラガスへの悪影響や送り込み不能による収納失敗、さらには収穫機各部への悪影響等を防止することができる。
したがって、アスパラガスの収穫効率の向上とおよび確実な刈取りを実現したアスパラガス収穫機を提供することができる。
【００１１】
【実施例】
以下、本発明の実施例を図面に基づいて説明する。
本実施例のアスパラガス収穫機Ａ（以下、「収穫機Ａ」と略称する）は、支持杆１と、アスパラガスＢを刈取る刈取り部２と、刈取られたアスパラガスＢを複数収納保持する収納筒部３と、収納筒部３の下端開口部３１を開閉する開閉蓋４と、刈取り部３の刈取り動作に連動してアスパラガスＢを収納筒部３に送り込む送り部５と、前記刈取り部３の操作を行う操作部６と、前記開閉蓋４の開閉操作を行う開閉操作部７とを備えてなる。（図１，図２参照）
図中、符号１１は第１操作ハンドルであり、前記操作部６を装着してある。
また、符号１２は第２操作ハンドルであり、前記開閉操作部７を装着してある。
操作部６と開閉操作部７は、例えば自転車のブレーキレバーと同様の構造であり、これにワイヤ６１，７１の一端が連結される。
そして、ワイヤ６１の他端を刈取り部３に連結し、ワイヤ７１の他端を開閉蓋４に連結することによって、操作部６の操作力を刈取り部３に伝え、開閉操作部７の操作力を開閉蓋４に伝えるようにしてある。
【００１２】
支持杆１は、図３に示すように、抜差し可能に挿し込み連結された２本の中空パイプ１３，１４からなり、両中空パイプ１３，１４はボルト・ナット１５の貫通締付によって固定され、ボルト・ナット１５を緩めて抜き取ることによって分割されるようにしてある。
また、両中空パイプ１３，１４には、ボルト・ナット１５用の貫通孔１６が軸方向に複数開孔されており、ボルト・ナット１５の貫通締付位置を変更することによって支持杆１の長さを長短調節可能としてある。
【００１３】
刈取り部２は、電動モータ２１と、モータ軸２２と、モータ軸２２の先端に取り付けられた回転カッタ２３と備えており、これらは、収納筒部３と一体的とするカバー３１内で覆われている。（図１ないし図４参照）
電動モータ２１は、外部バッテリ（図示せず）に配線する電気コード２４で配線されている。
電気コード２４は、第１操作ハンドル１１から支持杆１内に挿通されてスイッチ部２５を介して電動モータ２１に配線してある。（図示せず）
モータ軸２２は、カバー３２に前後揺動可能に支持された支持板２６に貫通固定されており、これにより、刈取り部２が前後揺動可能に支持される。
支持板２６と操作部６とはワイヤ６１で連結されており、操作部６の操作でワイヤ６１を引っ張り、この引張り力（操作力）によって支持板２６が前方揺動し、この支持板２６の前方揺動に伴って刈取り部２が前方揺動する。
また、支持板２６は、カバー３２とに亘って装着された引っ張りばね２７によって常に後方側へ付勢されており、前記操作部６の操作を解除すると引っ張りばね２７の付勢力によって後方に揺動して定位置に復帰し、その位置が保持されるようにしてある。
【００１４】
収納筒部３は透明材からなり、前記刈取り部２の揺動方向に正対するその周面にアスパラガスＢを収納筒部３内に挿通するための挿通空間３３が形成されている。
挿通空間３３は下端開口部３１の縁から上方に切欠いて形成したスリット状のものであり、その高さが少なくとも刈取るアスパラガスの高さと同等程度としている。
符号３４は、挿通空間３３の左右両側に設けられた支え板であり、収納筒部３に収納されたアスパラガスＢの抜け落ちを防止するものである。
支え板３４は、変形かつ復帰可能な弾性を有している。
また、左右の支え板３４の間隔は、アスパラガスＢの径よりもやや狭くしている。
つまり、アスパラガスＢの通過時には、そのアスパラガスＢの接触によって左右の支え板３４が変形してアスパラガスＢを通過させ、通過後には変形から復帰して収納されたアスパラガスＢを支えて抜け落ちを防止している。
【００１５】
開閉蓋４は、図５ないし図７に示すように、収納筒部３の下端開口部３１を塞ぐ大きさのものであり、収納筒部３の外周に取り付けられた支持軸４１に平面方向回転可能に支持されている。
また、開閉蓋４は、その縁と収納筒部３に固着されたアーム４２とに亘って装着された引っ張りばね４３によって、常に下端開口部の閉状態を保持するように付勢されている。
また、開閉蓋４の縁には、前記ワイヤ７１の他端が連結されており、前記開閉操作部７の操作でワイヤ７１を引っ張り、この引張り力（操作力）によって開閉蓋４が開方向に回転して下端開口部３１が開放される。
そして、前記開閉操作部７の操作を解除すると引っ張りばね４３の付勢力によって、開閉蓋４が閉方向に回転して下端開口部３１を塞ぐ状態に復帰してその状態が保持される。
符号４４は前記ワイヤ７１の引っ張り方向を平面方向に切替えるためのアームであり、このアーム４４にワイヤ７１を掛通すことで、縦方向の引っ張り力を平面方向に切替えられる。
【００１６】
送り部５は、常に後方へ付勢力が作用する板ばね状のものであり、一端を前記挿通空間３３の直上に固着することによって、刈取り部２と正対状に位置させている。
また、送り部５は、前記一端から他端に向かって刈取り部２に近接するように傾斜状にしてある。
符号５１は、刈取り部２が前方揺動したときに、モータ軸２２が接触して送り部５を前方へ揺動させるための突起であり、符号５２は、送り部５が前方揺動したときにアスパラガスＢを収納筒部３に送り込むための突起である。
【００１７】
以下、本実施例によるアスパラガスの収穫作業を説明する。
まず、電動モータ２１のスイッチ２５をＯＮして回転カッタ２３を回転させ、第１ハンドル１１と第２ハンドル１２を持って、アスパラガスＢが送り部５の後方に位置するように、アスパラガスＢにカバー３１を被せる。
この状態から、操作部６を操作すると、刈取り部２が前方揺動し、この揺動に伴ってモータ軸２２が送り部５の突起１に接触して送り部５を前方揺動させる。このとき、アスパラガスＢは送り部５によって抑えられながら回転カッタ２３によって刈取られる。
また、刈取られたアスパラガスＢは、刈取られると同時に送り部５によって、挿通空間３３から収納筒部３に収納される。
【００１８】
収納筒部３にアスパラガスＢが一杯になったことを確認したら、電動モータ２１のスイッチ２５をＯＦＦして回転カッタ２３の回転を停止し、その状態で、収穫機Ａを持ち上げて収納筒部３の下端開口部３１を収穫籠（図示せず）に向け、開閉操作部７を操作すると、開閉蓋４が開いて下端開口部３１が開放されて、収納されたアスパラガスＢが収納筒部３から前記収納籠内に落下する。
そして、収納筒部からすべてのアスパラガスＢが落下したことを確認した後に、開閉操作部７の操作を解除して、前記した収穫作業を再開する。
【００１９】
なお、本発明は、例示した実施例に限定されるものではなく、請求項に記載された範囲内で他の構造のものが実施できる。
【図面の簡単な説明】
【図１】本発明に係る収穫機の斜視図。
【図２】刈取り部付近の拡大斜視図。
【図３】図１の（３）−（３）線断面図。
【図４】図３における作動状態を示す断面図。
【図５】開閉蓋付近の底面図。
【図６】図６における開蓋状態を示す底面図。
【図７】開閉蓋付近の拡大斜視図。
【符号の説明】
Ａ：アスパラガス収穫機
Ｂ：アスパラガス
１：支持杆
２：刈取り部
２１：電動モータ
２２：モータ軸
２３：回転カッタ
３：収納筒部
３１：下端開口部
３３：挿通空間
４：開閉蓋
５：送り部
６：操作部
７：開閉操作部
【図１】
2004147558.tif 000003
【図２】
2004147558.tif 000004
【図３】
2004147558.tif 000005
【図４】
2004147558.tif 000006
【図５】
2004147558.tif 000007
【図６】
2004147558.tif 000008
【図７】
2004147558.tif 000009